(57)【要約】【課題】本発明は、中空回転体内に挿通保持せしめた剥離電線等が偏心位置に移動した場合にはこれに対応してテ−プ装着軸などのテ−プ送出し部材を迅速に追従作動せしめ、常に絶縁テ−プ等の巻付け材を一定の送出し速度、送出し長でもって送出しつつ巻付け作業を確実に行うことが出来る、絶縁テ−プ等の巻付け工具を提供するものである。【解決手段】絶縁操作棒２により回転作動自在とされてなる開閉自在な中空回転体１２と、該中空回転体１２の一側外面に揺動自在な取付けア−ム２１を介して取付けられた絶縁テ−プ３３等の装着軸２４と、該装着軸２４と中空回転体１２との間に介在せしめるべく取付けア−ム２１に取付けられたガイドロ−ラ２７とよりなり、上記取付けア−ム２１には絶縁テ−プ３３等にバックテンションを付与せしめるべく中空回転体１２の回転巻付け方向に常に付勢せしめる付勢部材２３が付設されている。【選択図】図１
2008125166.tif 000002
【特許請求の範囲】
【請求項１】
絶縁操作棒により回転作動自在とされてなる開閉自在な中空回転体と、該中空回転体の一側外面に揺動自在な取付けア−ムを介して取付けられた絶縁テ−プ等の装着軸と、該装着軸と中空回転体との間に介在せしめるべく取付けア−ムに取付けられたガイドロ−ラとよりなり、上記取付けア−ムには絶縁テ−プ等にバックテンションを付与せしめるべく中空回転体の回転巻付け方向に常に付勢せしめる付勢部材が付設されてなることを特徴とする、絶縁テ−プ等の巻付け工具。
【請求項２】
中空回転体は略半円弧状とされた両側一対の回転部材よりなり、該各回転部材はその一端外周部が同期回転自在に連結されると共に、同他端外周部が係着手段を介して係着自在とされ、かつ、歯車機構を介して絶縁操作棒により回転作動自在とされてなることを特徴とする、請求項１記載の絶縁テ−プ等の巻付け工具。   
【請求項３】
ガイドロ−ラにはその回転速度を適宜制動せしめるべく所要のブレ−キが付設されてなることを特徴とする、請求項１及び２記載の絶縁テ−プ等の巻付け工具。
【発明の詳細な説明】
【技術分野】
【０００１】
本発明は、架空配電線路の所要個所に絶縁テ−プやバインド線を巻付けるさいに使用
する巻付け工具に関する。
【背景技術】
【０００２】
従来より、例えば、架空配電線路において補修工事などを行うさいには、補修個所の被覆電線の被覆を皮むき工具でもって剥離せしめ、剥離した電線の両端にバイパス器具を介して所要のバイパス線を接続せしめることにより無停電状態でもって所要の工事を行うものとされている。そして、かかる補修工事など所要の工事終了後においては、バイパス線を取外したのち、剥離電線個所に絶縁テ−プをスパイラル状に巻付けて絶縁防水処理を行うものである。
【０００３】
ところで、かかる絶縁テ−プを剥離電線に巻付ける工具として、実開平３−３０７１３号公報には、所要のケ−ス体に電線挿入用開閉部付き中空回転体が駆動機構を介して回転自在に装着されると共に、該中空回転体にはブラケットを介してテ−プ装着軸と付勢バネ付き揺動ア−ムとが対向状に取付けられ、かつ、該揺動ア−ムの先部にはフリクションロ−ラが枢着されたものが開示されている。
【０００４】
そして、かかる巻付け工具は、中空回転体に開閉部を介して所要の電線を挿通せしめたのち、駆動機構により中空回転体を回転作動せしめ、テ−プ装着軸に装着した絶縁テ−プにフリクションロ−ラでもってバックテンションを付与せしめつつ、巻付け作業を行うものとされている。
【０００５】
また、本出願人が先に提案した特開平８−２７５３２４号公報には、絶縁操作棒により回転作動自在とされた電線挿通用開口部付き中空回転体と、該中空回転体の先端に取付け板を介して対向状に取付けられたテ−プ装着軸およびセパレ−タ巻取りロ−ラと、該テ−プ装着軸とセパレ−タ巻取りロ−ラとの間に取付けられたガイドロ−ラと、該ガイドロ−ラに沿って巻付けられるセパレ−ト型自己融着テ−プに圧接して所要のテンションを付与せしめる圧接ロ−ラと、上記ガイドロ−ラとセパレ−タ巻取りロ−ラとを各々同一方向に同期回転作動せしめる伝動機構とより構成されたものが開示されている。
【０００６】
そして、かかる巻付け工具は、絶縁操作棒を所定方向に回転せしめることにより中空回転体を回転作動せしめ、テ−プ装着軸よりガイドロ−ラにガイドされつつ巻付けられるセパレ−ト型自己融着テ−プに圧接ロ−ラを圧接せしめて常に一定のテンションを付与せしめつつ、剥離電線にスパイラル状に巻付けると共に、剥離したセパレ−タを順次セパレ−タ巻取りロ−ラに巻取り、所要の巻付け作業を行うものとされている。
【特許文献１】実開平３−３０７１３号公報
【特許文献２】特開平８−２７５３２４号公報
【発明の開示】
【発明が解決しようとする課題】
【０００７】
ところで、上記特許文献１・２記載の巻付け工具は、中空回転体に固着されたブラケットや取付け板を介してテ−プ装着軸やガイドロ−ラ等のテ−プ送出し部材が取付けられた構成よりなるものであるから、かかるテ−プ装着軸等のテ−プ送出し部材は中空回転体に対して常に定位置に固定的に位置せしめられているものである。このため、中空回転体を回転作動せしめて巻付け作業を行うさいにおいてはテ−プの送出し速度や送出し長が常に一定となり、挿通する剥離電線が中空回転体内の中心に挿通保持されている場合においては巻付け作業を好適に行うことが出来るものである。     
しかしながら、中空回転体内に挿通保持せしめた剥離電線が風などの影響を受けて揺動し、中空回転体の中心より偏心位置に移動する場合にはこれに対応してテ−プの送出し速度や送出し長を追従作動せしめることが出来ず、ひいては、テ−プの緩みなどを生じて確実なるテ−プの巻付けがしずらいものである。
【０００８】
本発明はかかる従来の問題点を解決しようとするもので、中空回転体内に挿通保持せしめた剥離電線などの被巻付け線が偏心位置に移動した場合にはこれに対応してテ−プ装着軸などのテ−プ送出し部材を迅速に追従作動せしめ、常に絶縁テ−プ等の巻付け材を一定の送出し速度、送出し長でもって送出しつつ巻付け作業を確実に行うことが出来る、絶縁テ−プ等の巻付け工具を提供するにある。
【課題を解決するための手段】
【０００９】
上記の目的を達成するため、本発明の請求項１記載の発明は、絶縁操作棒により回転作動自在とされてなる開閉自在な中空回転体と、該中空回転体の一側外面に揺動自在な取付けア−ムを介して取付けられた絶縁テ−プ等の装着軸と、該装着軸と中空回転体との間に介在せしめるべく取付けア−ムに取付けられたガイドロ−ラとよりなり、上記取付けア−ムには絶縁テ−プ等にバックテンションを付与せしめるべく中空回転体の回転巻付け方向に常に付勢せしめる付勢部材が付設されてなることを特徴とする、絶縁テ−プ等の巻付け工具を要旨とするものである。
【００１０】
本発明の請求項２記載の発明は、中空回転体は略半円弧状とされた両側一対の回転部材
よりなり、該各回転部材はその一端外周部が同期回転自在に連結されると共に、同他端外周部が係着手段を介して係着自在とされ、かつ、歯車機構を介して絶縁操作棒により回転作動自在とされてなることを特徴とする、請求項１記載の絶縁テ−プ等の巻付け工具を要旨とするものである。
【００１１】
本発明の請求項３記載の発明は、ガイドロ−ラにはその回転速度を適宜制動せしめるべく所要のブレ−キが付設されてなることを特徴とする、請求項１及び２記載の絶縁テ−プ等の巻付け工具を要旨とするものである。
【発明の効果】
【００１２】
本発明の請求項１記載の発明は上述のように構成されているから、絶縁テ−プ等の巻付け作業時には付勢部材により取付けア−ムを中空回転体の回転巻付け方向に付勢せしめつつ、装着軸およびガイドロ−ラを介して絶縁テ−プ等にバックテンションを付与せしめ、架空配電線路における剥離電線などに確実に巻付けることが出来る。そして、特に剥離電線などが中空回転体の中心に対して偏心位置に移動した場合には、これに対応して付勢部材の付勢力により取付けア−ムが適宜自動的に揺動し、装着軸およびガイドロ−ラを追従作動せしめ、絶縁テ−プ等を一定の送出し速度、送出し長でもって送出しつつ巻付け作業を常に確実に行うことが出来るものである。
【００１３】
本発明の請求項２記載の発明は上述のように構成されているから、中空回転体を絶縁操作棒により容易に開閉作動せしめ、架空配電線路における剥離電線などをスム−ズに挿通
・解放することが出来る。そして、巻付け作業時においては、中空回転体を閉作動せしめて剥離電線などを確実に挿通保持せしめ、その脱落を防止せしめて巻付け作業を安全確実に行うことが出来るものである。
【００１４】
本発明の請求項３記載の発明は上述のように構成されているから、ガイドロ−ラの回転速度をブレ−キにより適宜制動せしめ、絶縁テ−プ等をガイドせしめつつバックテンションを付与せしめることが出来るものである。
【発明を実施するための最良の形態】
【００１５】
以下に、本発明を実施するための最良の形態を図面に示す一実施例に基づいて詳細に説明する。    
【００１６】
図１乃至図４は本発明の一実施例を示すもので、同図中、１は絶縁操作棒２に装着自在とされた略円筒状の基体、３は絶縁操作棒２により正逆に回転駆動せしめるべく該基体１
に内設された駆動軸、４は基体１上に立設された略枠状の保持体、５は後記する中空回転体１２を正逆に回転作動せしめるべく該保持体４内に配設された歯車機構で、該歯車機構５は前記駆動軸３の先部に取付けられた傘歯車６と、該傘歯車６に噛合された傘歯車７と
、該傘歯車７と同軸状に配設された平歯車８と、後記する中空回転体１２の半割歯車１５ａ・１５ｂに各々噛合せしめるべく該平歯車８に噛合された平歯車９とより構成されている。
【００１７】
１０は前記保持体４の一側に横向き状に取付けられた略大径Ｃ字形状の取付け部材、１１は該取付け部材１０の内周縁にガイド溝（図示略）を介して嵌合せしめつつ同心状に回転自在に配設された略Ｃ字形状のガイド板、１２は該ガイド板１１の一側面に同心状に枢着された中空回転体で、該中空回転体１２は上記ガイド板１１の内径と同径の内径を有する両側一対の半円弧状回転部材１３ａ・１３ｂを連結ピン１４でもって開閉自在に連結すると共に、正逆に回転作動せしめるべく両側一対の半円弧状回転部材１３ａ・１３ｂ外周面には各々前記歯車機構５を構成する平歯車９に噛合する半割歯車１５ａ・１５ｂが互い違い状に取付けられている。そして、上記中空回転体１２を開閉作動せしめるべく一方の半円弧状回転部材１３ａ自由端には両端に前後部係合突起１７・１８を備えた開閉用係合片１６が揺動自在に枢着されると共に、該開閉用係合片１６の前部係合突起１７を係脱自在に係合せしめるべく他方の半円弧状回転部材１３ｂの自由端外周面には係合凹部１９が形成され、両側の半円弧状回転部材１３ａ・１３ｂを第１図に矢印で示す方向（時計回り方向）に回転せしめたさいには開閉用係合片１６の前部係合突起１７が係合凹部１９に係合して閉作動せしめるものとされている。また、上記開閉用係合片１６の前部係合突起１７と係合凹部１９との係合を解除せしめるべく取付け部材１０の一側外面には解除用係合片２０が揺動自在に枢着され、上記両側の半円弧状回転部材１３ａ・１３ｂを逆回転（反時計回り方向）せしめたさいには開閉用係合片１６の後部係合突起１８に係合し、同前部突起１７と係合凹部１９との係合を解除して中空回転体１２を開作動せしめるものとされている。
【００１８】
２１は前記一方の半円弧状回転部材１３ａの外側面に枢着ピン２２を介して揺動自在
に取付けられた略三角板状の取付けア−ム、２３は該取付けア−ム２１を前記中空回転体１２の正転方向（時計回り方向）に常時付勢せしめるべく付設された付勢バネ、２４は取付けア−ム２１上に取付けボルト２５を介して取付けられた略円柱状の絶縁テ−プ等の装着軸、２６は該装着軸２４の先端に前記取付けボルト２５を介して回転自在に取付けられた抜止め片である。２７は前記装着軸２４に対応すべく取付けア−ム２１上に取付けボルト２８を介して回転自在に取付けられたガイドロ−ラ、２９は該ガイドロ−ラ２７の回転速度を制動せしめるブレ−キで、該ブレ−キ２９はガイドロ−ラ２７を取付けア−ム２１に付勢押圧せしめるべく取付けボルト２８に巻装された付勢バネ３０と、該付勢バネ３０をガイドロ−ラ２７に適宜押圧せしめてその制動を調整せしめるべく取付けボルト２８に螺動自在に螺合された蝶ナット状の調整ボルト３１とより構成されている。その他、３２は架空配電線路における剥離電線、３３は絶縁テ−プ、３４は該絶縁テ−プ３３の接着面を各々示す。
【００１９】
次に、上述の如く構成された実施例の作動について説明する。
先ず、基体１を絶縁操作棒２に取付け、中空回転体１２を正逆回転作動自在にセットせしめる。次いで、調整ボルト３１を適宜螺動せしめつつガイドロ−ラ２７を制動せしめて所定の回転速度に設定せしめると共に、装着軸２４にロ−ル巻状の絶縁テ−プ３３を装着せしめ、その接着面３４をガイドロ−ラ２７外周面に当てがいつつ所要の長さに巻戻す。しかるのち、絶縁操作棒２により駆動軸３を駆動せしめ、歯車機構５・半割歯車１５ａ・１５ｂを介して中空回転体１２を反時計回り方向に逆転作動せしめ、中空回転体１２を開作動せしめる。即ち、中空回転体１２の逆転作動により、一方の半円弧状回転部材１３ｂに係合凹部１９を介して係合せしめた開閉用係合片１６の後部係合突起１８に解除用係合片２０が係合しつつ、開閉用係合片１６を起立せしめ、係合凹部１９との係合を解除せしめる。すると、更なる逆転作動により両側の半円弧状回転部材１３ａ・１３ｂが連結ピン１４を中心として各々外側方に回動し、中空回転体１２を所定の角度でもって拡開せしめる。
【００２０】
中空回転体１２の拡開が完了すると、絶縁操作棒２を操りつつ剥離電線３２に中空回転体１２をアプロ−チせしめ、その開口部より剥離電線３２を挿通せしめると共に、予め装着軸２４より巻戻した絶縁テ−プ３３の自由端を剥離電線３２に接着せしめる。しかるのち、絶縁操作棒２により駆動軸３を駆動せしめ、歯車機構５・半割歯車１５ａ・１５ｂを介して中空回転体１２を図１に矢印で示す時計回り方向に正転作動せしめ、中空回転体１２を閉作動せしめると共に、絶縁テ−プ３３の巻付けを開始する。即ち、中空回転体１２の正転作動により、一方の半円弧状回転部材１３ａの開閉用係合片１６と解除用係合片２０との係合を解除せしめる。すると、更なる正転作動により両側の半円弧状回転部材１３ａ・１３ｂが連結ピン１４を中心として各々内方に回動しつつ、開閉用係止片１６の前部係合突起１７が対応する係合凹部１９に係合し、両側の半円弧状回転部材１３ａ・１３ｂの自由端を閉止せしめる。また、同時に、中空回転体１２の正転作動により絶縁テ−プ３３は装着軸２４より巻戻されつつ、ガイドロ−ラ２７を介して剥離電線３２にスパイラル状に巻付き始める。
【００２１】
このさい、装着軸２４・ガイドロ−ラ２７は取付けア−ム２１を介して付勢バネ２３により中空回転体１２の正転方向に付勢されるのみならず、ブレ−キ２９によるガイドロ−ラ２７への制動作動、あるいは、絶縁テ−プ３３の接着面３４がガイドロ−ラ２７の外周面に部分的に接触して生起する接着力などが相乗的に作用し、絶縁テ−プ３３にバックテンションを適正に付与せしめ、剥離電線３２に確実に巻付けることが出来る。そして、特に、剥離電線３２が中空回転体１２の中心より偏心位置に移動した場合には、これに対応して付勢バネ２３の付勢力に抗して取付けア−ム２１が適宜自動的に揺動し、装着軸２４およびガイドロ−ラ２７を追従作動せしめて絶縁テ−プ３３を一定の送出し速度、送出し長でもって送出しつつ巻付け作業を常に確実に行うことが出来るものである。また、中空回転体１２は両側一対の半円弧状回転部材１３ａ・１３ｂにより開閉作動自在に構成されているから、絶縁操作棒２により容易に開閉作動せしめ、剥離電線３２をスム−ズに挿通することが出来るのみならず、巻付け作業時においては中空回転体１２を閉作動せしめて剥離電線３２を確実に保持せしめ、その脱落を確実に防止せしめることが出来るものである。
【００２２】
以下同様に、絶縁操作棒２により中空回転体１２を正転作動せしめ、絶縁テ−プ３３を剥離電線３２にスパイラル状に取付ける。そして、巻付けが完了すると、絶縁テ−プ３３をテ−プカッタ−等により切断せしめる。しかるのち、絶縁操作棒２により中空回転体１２を反時計回り方向に逆転作動せしめ、解除用係合片２０を開閉用係合片１６の後部係合突起１８に係合せしめつつ係合凹部１９との係合を解除せしめ、両側の半円弧状回転部材１３ａ・１３ｂを各々外側方に拡開して剥離電線３２から解放せしめる。次いで、絶縁テ−プ３３の巻付け端をヤットコなどにより押圧せしめ、取付け作業を完了する。
【００２３】
なお、上記実施例は巻付け部材として絶縁テ−プ３３を示したが、これに限定されるものではなく、これらに類した他の絶縁テ−プやバインド線などの巻付け部材の巻付けにも適用せしめることが出来るものである。また、取付けア−ム２１の付勢部材として付勢バネ２３が示されているが、これに限定されるものではなく、他の公知の付勢部材を採択使用することが出来るものである。
【図面の簡単な説明】
【００２４】
【図１】本発明の一実施例を示す正面図である。
【図２】本発明の一実施例を示す一部破断側面図である。
【図３】実施例の中空回転体１２を構成する半円弧状回転部材１３ａ・１３ｂの開閉作動状態を示す断面図である。
【図４】実施例の絶縁テ−プ３３をガイドロ−ラ２７にガイドせしめる状態を示す断面図である。
【符号の説明】
【００２５】
２    絶縁操作棒
５    歯車機構
１２  中空回転体
１３ａ・１３ｂ  半円弧状回転部材
１４  連結ピン
１５ａ・１５ｂ  半割歯車
１６  開閉用係合片
１７  前部係合突起
１８  後部係合突起
１９  係合凹部
２０  解除用係合片
２１  取付けア−ム
２３  付勢バネ
２４  装着軸
２７  ガイドロ−ラ
２９  ブレ−キ
３０  付勢バネ
３１  調整ボルト
３３  絶縁テ−プ
【図１】
2008125166.tif 000003
【図２】
2008125166.tif 000004
【図３】
2008125166.tif 000005
【図４】
2008125166.tif 000006